(57)【特許請求の範囲】
【請求項１】
プログラムを実行するプロセッサとメモリとを有し、少なくとも１台以上の空気調和装置と、前記空気調和装置の制御を行う制御装置とを含んで構成される空気調和システムであって、
前記制御に基づき前記空気調和装置が行う運転に関する情報である運転情報を取得する運転情報取得部と、
前記取得した運転情報に基づき、前記空気調和装置が前記運転を行うことにより生じるエネルギー変化に関する情報であるエネルギー変化予測情報を生成するエネルギー変化予測情報生成部と、
前記生成したエネルギー変化予測情報を送信するエネルギー変化予測情報送信部と、
前記エネルギー変化予測情報を受信し、受信した前記エネルギー変化予測情報を出力するエネルギー変化予測情報出力部とを備え、
前記エネルギー変化予測情報生成部は、前記運転情報と、エネルギー変化予測情報を生成するために所定期間において必要な情報である有効期間情報とに基づき前記エネルギー変化予測情報を生成し、
前記エネルギー変化予測情報出力部は、前記生成したエネルギー変化予測情報と共に前記有効期間情報を出力する、
空気調和システム。
【請求項２】
プログラムを実行するプロセッサとメモリとを有し、少なくとも１台以上の空気調和装置と、前記空気調和装置の制御を行う制御装置とを含んで構成される空気調和システムであって、
前記制御に基づき前記空気調和装置が行う運転に関する情報である運転情報を取得する運転情報取得部と、
前記取得した運転情報に基づき、前記空気調和装置が前記運転を行うことにより生じるエネルギー変化に関する情報であるエネルギー変化予測情報を生成するエネルギー変化予測情報生成部と、
前記生成したエネルギー変化予測情報を送信するエネルギー変化予測情報送信部と、
前記エネルギー変化予測情報を受信し、受信した前記エネルギー変化予測情報を出力するエネルギー変化予測情報出力部とを備え、
前記空気調和システムはさらに、
時間によってその内容が変化する情報である時間依存情報を取得し、取得した前記時間依存情報の内容を監視する時間依存情報監視部を備え、
前記エネルギー変化予測情報生成部は、前記時間依存情報監視部が、前記時間依存情報の内容が変化したと判断した場合に、前記運転情報と、前記変化した時間依存情報とに基づき、新たな前記エネルギー変化予測情報を生成し、
前記エネルギー変化予測情報出力部は、前記生成した新たなエネルギー変化予測情報を出力する、
空気調和システム。
【請求項３】
プログラムを実行するプロセッサとメモリとを有し、少なくとも１台以上の空気調和装置と、前記空気調和装置の制御を行う制御装置とを含んで構成される空気調和システムであって、
前記制御に基づき前記空気調和装置が行う運転に関する情報である運転情報を取得する運転情報取得部と、
前記取得した運転情報に基づき、前記空気調和装置が前記運転を行うことにより生じるエネルギー変化に関する情報であるエネルギー変化予測情報を生成するエネルギー変化予測情報生成部と、
前記生成したエネルギー変化予測情報を送信するエネルギー変化予測情報送信部と、
前記エネルギー変化予測情報を受信し、受信した前記エネルギー変化予測情報を出力するエネルギー変化予測情報出力部とを備え、
前記空気調和システムはさらに、
複数の前記空気調和装置のうち、いずれの前記空気調和装置の前記エネルギー変化予測情報を出力するかを示す出力範囲管理情報を生成する出力範囲管理情報生成部を備え、
前記エネルギー変化予測情報出力部は、前記生成したエネルギー変化予測情報のうち、前記出力範囲管理情報が示す前記空気調和装置の前記エネルギー変化予測情報を出力する、
空気調和システム。
【請求項４】
請求項３に記載の空気調和システムであって、
前記エネルギー変化予測情報は、前記空気調和装置が行う運転により算出される料金の情報を含み、
前記エネルギー変化予測情報出力部は、前記生成したエネルギー変化予測情報のうち、前記出力範囲管理情報が示す前記空気調和装置の前記料金の合計値を出力する、空気調和システム。
【請求項５】
請求項１乃至４のいずれか一項に記載の空気調和システムであって、
前記空気調和システムはさらに、
前記制御装置が行った制御の要因に関する情報である制御要因情報を送信する制御要因情報送信部と、
前記制御要因情報を受信し、受信した前記制御要因情報を前記エネルギー変化予測情報と共に出力する制御要因情報出力部とを備える、空気調和システム。
【請求項６】
請求項１乃至５のいずれか一項に記載の空気調和システムであって、
前記エネルギー変化予測情報は、前記空気調和装置が行う運転のために使用される電力量、前記空気調和装置が行う運転により算出される料金、前記空気調和装置が行う運転により排出される二酸化炭素の量、前記空気調和装置が行う運転により消費されるエネルギー、前記空気調和装置が行う運転により算出される不快指数、及び前記空気調和装置が行う運転予想平均温冷感申告の少なくともいずれかの情報を含む、空気調和システム。
【請求項７】
プログラムを実行するプロセッサとメモリとを有し、少なくとも１台以上の空気調和装置と、前記空気調和装置の制御を行う制御装置とを含んで構成される空気調和システムであって、
前記制御に基づき前記空気調和装置が行う運転に関する情報である運転情報を取得する運転情報取得部と、
前記取得した運転情報に基づき、前記空気調和装置が前記運転を行うことにより生じるエネルギー変化に関する情報であるエネルギー変化予測情報を生成するエネルギー変化予測情報生成部と、
前記生成したエネルギー変化予測情報を送信するエネルギー変化予測情報送信部と、
前記エネルギー変化予測情報を受信し、受信した前記エネルギー変化予測情報を出力するエネルギー変化予測情報出力部とを備え、
前記エネルギー変化予測情報は、前記空気調和装置が行う運転により算出される電気料金の情報を含み、
前記空気調和システムはさらに、
時間によってその内容が変化する情報である時間依存情報を取得し、取得した前記時間依存情報の内容を監視する時間依存情報監視部と、
複数の前記空気調和装置のうち、いずれの前記空気調和装置の前記エネルギー変化予測情報を出力するかを示す出力範囲管理情報を生成する出力範囲管理情報生成部と、
前記制御装置が行った制御の要因に関する情報である制御要因情報を送信する制御要因情報送信部と、
前記制御要因情報を受信し、受信した前記制御要因情報を前記エネルギー変化予測情報と共に出力する制御要因情報出力部とを備え、
前記エネルギー変化予測情報生成部は、
前記運転情報と、エネルギー変化予測情報を生成するために所定期間において必要な情報である有効期間情報として時間帯別の電気料金に基づき前記エネルギー変化予測情報を生成し、
前記時間依存情報監視部が、前記時間依存情報の内容として現在の電気料金が変化したと判断した場合に、前記運転情報と、前記変化した時間依存情報とに基づき、新たな前記エネルギー変化予測情報を生成し、
前記エネルギー変化予測情報出力部は、
前記生成したエネルギー変化予測情報と共に前記有効期間情報を出力し、
前記生成したエネルギー変化予測情報のうち、前記出力範囲管理情報が示す前記空気調和装置の前記エネルギー変化予測情報を出力し、
前記生成したエネルギー変化予測情報のうち、前記出力範囲管理情報が示す前記空気調和装置の前記電気料金の合計値を出力し、
前記生成した新たなエネルギー変化予測情報を出力する、
空気調和システム。
【請求項８】
プログラムを実行するプロセッサとメモリとを有し、少なくとも１台以上の空気調和装置と、前記空気調和装置の制御を行う制御装置とを含んで構成される空気調和システムにおける空気調和方法であって、
前記空気調和システムが、
前記制御に基づき前記空気調和装置が行う運転に関する情報である運転情報を取得し、
前記取得した運転情報に基づき、前記空気調和装置が前記運転を行うことにより生じるエネルギー変化に関する情報であるエネルギー変化予測情報を生成し、
前記生成したエネルギー変化予測情報を送信し、
前記エネルギー変化予測情報を受信し、受信した前記エネルギー変化予測情報を出力し、
前記空気調和システムが、
前記運転情報と、エネルギー変化予測情報を生成するために所定期間において必要な情報である有効期間情報とに基づき前記エネルギー変化予測情報を生成し、
前記生成したエネルギー変化予測情報と共に前記有効期間情報を出力する、
空気調和方法。
【請求項９】
プログラムを実行するプロセッサとメモリとを有し、少なくとも１台以上の空気調和装置と、前記空気調和装置の制御を行う制御装置とを含んで構成される空気調和システムにおける空気調和方法であって、
前記空気調和システムが、
前記制御に基づき前記空気調和装置が行う運転に関する情報である運転情報を取得し、
前記取得した運転情報に基づき、前記空気調和装置が前記運転を行うことにより生じるエネルギー変化に関する情報であるエネルギー変化予測情報を生成し、
前記生成したエネルギー変化予測情報を送信し、
前記エネルギー変化予測情報を受信し、受信した前記エネルギー変化予測情報を出力し、
前記空気調和システムはさらに、
時間によってその内容が変化する情報である時間依存情報を取得し、取得した前記時間依存情報の内容を監視し、
前記時間依存情報の内容が変化したと判断した場合に、前記運転情報と、前記変化した時間依存情報とに基づき、新たな前記エネルギー変化予測情報を生成し、
前記生成した新たなエネルギー変化予測情報を出力する、
空気調和方法。
【請求項１０】
プログラムを実行するプロセッサとメモリとを有し、少なくとも１台以上の空気調和装置と、前記空気調和装置の制御を行う制御装置とを含んで構成される空気調和システムにおける空気調和方法であって、
前記空気調和システムが、
前記制御に基づき前記空気調和装置が行う運転に関する情報である運転情報を取得し、
前記取得した運転情報に基づき、前記空気調和装置が前記運転を行うことにより生じるエネルギー変化に関する情報であるエネルギー変化予測情報を生成し、
前記生成したエネルギー変化予測情報を送信し、
前記エネルギー変化予測情報を受信し、受信した前記エネルギー変化予測情報を出力し、
前記空気調和システムはさらに、
複数の前記空気調和装置のうち、いずれの前記空気調和装置の前記エネルギー変化予測情報を出力するかを示す出力範囲管理情報を生成し、
前記生成したエネルギー変化予測情報のうち、前記出力範囲管理情報が示す前記空気調和装置の前記エネルギー変化予測情報を出力する、
空気調和方法。
【請求項１１】
請求項１０に記載の空気調和方法であって、
前記エネルギー変化予測情報は、前記空気調和装置が行う運転により算出される料金の情報を含み、
前記空気調和システムはさらに、
前記生成したエネルギー変化予測情報のうち、前記出力範囲管理情報が示す前記空気調和装置の前記料金の合計値を出力する、空気調和方法。
【請求項１２】
請求項８乃至１１のいずれか一項に記載の空気調和方法であって、
前記エネルギー変化予測情報は、前記空気調和装置が行う運転のために使用される電力量、前記空気調和装置が行う運転により算出される料金、前記空気調和装置が行う運転により排出される二酸化炭素の量、前記空気調和装置が行う運転により消費されるエネルギー、前記空気調和装置が行う運転により算出される不快指数、及び前記空気調和装置が行う運転予想平均温冷感申告の少なくともいずれかの情報を含む、空気調和方法。
【請求項１３】
プログラムを実行するプロセッサとメモリとを有し、少なくとも１台以上の空気調和装置の制御を行う制御装置であって、
前記制御に基づき前記空気調和装置が行う運転に関する情報である運転情報を取得する運転情報取得部と、
前記取得した運転情報に基づき、前記空気調和装置が前記運転を行うことにより生じるエネルギー変化に関する情報であるエネルギー変化予測情報を生成するエネルギー変化予測情報生成部と、
前記生成したエネルギー変化予測情報を送信するエネルギー変化予測情報送信部と、
前記エネルギー変化予測情報を受信し、受信した前記エネルギー変化予測情報を出力するエネルギー変化予測情報出力部とを備え、
前記エネルギー変化予測情報生成部は、前記運転情報と、エネルギー変化予測情報を生成するために所定期間において必要な情報である有効期間情報とに基づき前記エネルギー変化予測情報を生成し、
前記エネルギー変化予測情報出力部は、前記生成したエネルギー変化予測情報と共に前記有効期間情報を出力する、
制御装置。
【発明の詳細な説明】
【技術分野】
【０００１】
本発明は、空気調和システム、空気調和方法、及び制御装置に関する。
【背景技術】
【０００２】
空気調和システムにおいて、室外機、及び室内機を備えている空気調和装置（以下、空調機）を監視ないし制御するものが従来から知られている。例えば特許文献１には、空調機を制御可能な機器が、空調機に操作指令を送信する際、その操作要因（どのような操作に基づいて操作指令が送信されたか）を付加し、これを受信した空調機は、操作内容及び操作要因を含む情報を各機器に通知し、これを受信した各機器が当該情報を保持、表示することが記載されている。
【先行技術文献】
【特許文献】
【０００３】
【特許文献１】特開２０１３−２５７０９４号公報
【発明の概要】
【発明が解決しようとする課題】
【０００４】
しかしながら、特許文献１は、メンテナンス作業の効率向上を図ったものである。例えば、同文献によれば、所定の監視装置から空調機にデマンド制御が行われた場合には、そのデマンド制御の「操作要因」として「中継操作」を示す情報が空調機に通知される。すると、空調機の利用者は監視装置が中継操作を行ったことは分かるが、その操作が実行されることとなった根本的な理由が分からない。そのため、空調機利用者は、単に監視装置の中継操作により空調機の運転状態が変化した（例えば空調が弱くなった）ことを知るだけであり、なぜそのような制御が行われたか、また、それによってどのような効果が発生するかが分からない。このため、空調機利用者はそのような空調操作を不快に感じ、不満を覚えることになる場合があるという問題があった。
【０００５】
本発明はこのような問題に鑑みてなされたものであり、その目的は、空調制御実施の理由を利用者に対して提示することが可能な空気調和システム、空気調和方法、及び制御装置を提供することである。
【課題を解決するための手段】
【０００６】
前述の課題を解決するための本発明の一態様は、プログラムを実行するプロセッサとメモリとを有し、少なくとも１台以上の空気調和装置と、前記空気調和装置の制御を行う制御装置とを含んで構成される空気調和システムであって、前記制御に基づき前記空気調和装置が行う運転に関する情報である運転情報を取得する運転情報取得部と、前記取得した運転情報に基づき、前記空気調和装置が前記運転を行うことにより生じるエネルギー変化に関する情報であるエネルギー変化予測情報を生成するエネルギー変化予測情報生成部と、前記生成したエネルギー変化予測情報を送信するエネルギー変化予測情報送信部と、前記エネルギー変化予測情報を受信し、受信した前記エネルギー変化情報を出力するエネルギー変化予測情報出力部とを備える。
【発明の効果】
【０００７】
本発明によれば、空調制御実施の理由を利用者に対して提示することができる。
【図面の簡単な説明】
【０００８】
【図１】図１は、本発明の実施形態に係る空気調和システム１０の全体構成例を説明する図である。
【図２】図２は、室外機１が備える構成及びその機能の一例を説明する図である。
【図３】図３は、室内機２が備える構成及びその機能の一例を説明する図である。
【図４】図４は、リモコン３が備える構成及びその機能の一例を説明する図である。
【図５】図５は、制御装置４が備える構成及びその機能の一例を説明する図である。
【図６】図６は、制御スケジュール情報４１０の一例を説明する図である。
【図７】図７は、監視装置９が備える構成及びその機能の一例を説明する図である。
【図８】図８は、エネルギー情報表示処理Ｓ０の一例を説明するフローチャートである。
【図９】図９は、第１表示処理Ｓ１００及びこの処理における情報の流れの一例を説明する図である。
【図１０】図１０は、第２表示処理Ｓ２００及びこの処理における情報の流れの一例を説明する図である。
【図１１】図１１は、エネルギー情報表示処理Ｓ０に基づきリモコン３に表示される画面の一例を説明する図である。
【図１２】図１２は、制御装置４が備える構成及びその機能の他の例を説明する図である。
【図１３】図１３は、リモコン３の出力装置３０２に出力されるリモコン３の画面の一例を説明する図である。
【図１４】図１４は、制御装置４が備える構成及びその機能のさらに他の例を説明する図である。
【図１５】図１５は、出力範囲管理情報４４０の一例を説明する図である。
【図１６】図１６は、出力範囲管理情報４４０の他の一例を説明する図である。
【図１７】図１７は、出力範囲管理情報４４０のうち第１情報に基づきリモコン３又は制御装置４に表示される画面の一例である。
【図１８】図１８は、出力範囲管理情報４４０のうち第２情報に基づきリモコン３又は制御装置４に表示される画面の一例である。
【発明を実施するための形態】
【０００９】
以下、図面を用いて本発明の実施例を説明する。各図における同一符号は同一物または相当物を示す。
【実施例１】
【００１０】
図１は本発明の一実施例として示す、空気調和システム１０の全体構成例を説明する図である。空気調和システム１０は、例えば、マンション、オフィスビル、工場、学校、公共施設等の施設（以下、単に施設という）に設けられ、同図に示すように、少なくとも１台以上の室内機２（２a−１、２a−２、２a−３、２ｂ−１、２ｂ−２、２ｂ−３）と、
少なくとも１台以上の室外機１（１ａ、１ｂ）と、室内機２に対応するリモコン３（３a
−１、３a−２、３ｂ−１、３ｂ−２）と、制御装置４（４−１〜４−５）と、監視装置
９とを含んで構成されている。なお、図１では室外機１を２台、室内機２を６台、リモコン３を４台記載しているが、室外機１、室内機２、及びリモコン３の台数はこれに限られない。
【００１１】
室内機２は、いわゆるエア・コンディショナー（エアコン）等の、空気調和を行う空調設備であり、施設内に設けられる。
【００１２】
室外機１は、冷却を行う設備であり、施設外又は施設内に設けられる。室外機１は、室内機２のそれぞれと、図示しない冷媒配管により接続され、冷凍サイクルを形成している。図１では、室外機１ａは室内機２ａ−１〜２ａ−３と接続し、室外機１ｂは室内機２ｂ−１〜２ｂ−３と接続している。
【００１３】
以下、室外機１及び室内機２をあわせて、空気調和装置、又は空調機という。
【００１４】
リモコン３（以下、手動制御装置ともいう）は、ユーザからの入力に基づき、室外機１及び室内機２を監視又は制御する。具体的には、リモコン３は、室外機１及び室内機２の制御（例えば、室外機１及び室内機２の運転／停止の制御、室内機２の運転モード（暖房、冷房、送風等）の切り替え、室内機２の設定温度の変更、室内機２の風向きや風量の変更、及びこれらの制御のスケジュール設定等）を行い、また、室内機２の状態を表示する（例えば、アラーム表示をする）。
【００１５】
リモコン３は、無線又は有線の伝送線６を介して、室内機２と通信可能に接続している。リモコン３と室内機２との間は、一対一、又は一対複数で接続される。図１では、リモコン３ａ−１は伝送線６ｂを介して室内機２ａ−１と接続し、リモコン３ａ−２は伝送線６ａを介して室内機２ａ−２及び室内機２ａ−３と接続し、リモコン３ｂ−１は伝送線６ｄを介して室内機２ｂ−１と接続し、リモコン３ｂ−２は伝送線６ｃを介して室内機２ｂ−２及び室内機２ｂ−３と接続している。
【００１６】
制御装置４（以下、自動制御装置ともいう）は、室内機２及び室外機３を制御する情報処理装置である。また、制御装置４は、室外機１及び室内機２の状態を表示する（例えば、アラーム表示をする）装置である。
【００１７】
制御装置４は、無線又は有線の伝送線５を介して、室外機１及び室内機２と通信可能に接続している。図１では、制御装置４−１は、伝送線５ａを介して室外機１ａ及び室内機２ａ−１〜２ａ−３と接続している。また、制御装置４−１は、伝送線５ｂを介して室外機１ｂ及び室内機２ｂ−１〜２ｂ−３と接続している。
【００１８】
また、制御装置４は、他の制御装置４とも通信可能に接続している。図１では、制御装置４−１は、伝送線５ａを介して制御装置４−２と接続し、伝送線５ｂを介して制御装置４−３と接続している。また、制御装置４−１は、無線又は有線ＬＡＮ（Local Area Network）等の通信ネットワーク７を介して、制御装置４−４、４−５と接続している。なお、制御装置４−４、４−５は、伝送線５を介して室内機２及び室外機１と通信可能に接続している（不図示）。
【００１９】
監視装置９は、制御装置４を管理する情報処理装置である。監視装置９は、施設の内部又は外部に設けられる。監視装置９は、例えば、サーバ装置や携帯情報端末である。
【００２０】
監視装置９は、インターネット等の通信ネットワーク８を介して、制御装置４と通信可能に接続している。図１では、監視装置９は、制御装置４−１、４−４、４−５と通信可能に接続している。
【００２１】
なお、図示を省略するが、空気調和システム１０には換気機器を設けてもよい。
【００２２】
図２は、室外機１が備える構成及びその機能の一例を説明する図である。同図に示すように、室外機１は、室外機動力部１０１、通信装置１０２、記憶装置１０３、及び情報処理装置１０４を備える。
【００２３】
室外機動力部１０１は、圧縮機、四方弁、室外送風機、室外熱交換器、及び室外膨張弁を含んで構成される（いずれも不図示）。圧縮機は、スクロール圧縮機、及びスクリュー圧縮機等から構成され、冷媒を圧縮し、高圧ガスを吐出する。四方弁は、圧縮機から吐出した冷媒ガスを、室外熱交換器に導くか、又は室内機に導くかの切り替えを行うものであ
り、これにより、室内機２の冷房運転と暖房運転とを切り替える。室外送風機は、室外空気を室外熱交換器に通風する。室外熱交換器は、室外空気と熱交換を行う。室外膨張弁は、電子膨張弁等で構成され、冷媒を減圧する。
【００２４】
通信装置１０２は、室内機２、及び制御装置４と通信を行うための通信インタフェースである。
【００２５】
記憶装置１０３は、例えば、不揮発性メモリであるＦｌａｓｈ  ＲＯＭ、ＥＥＰＲＯＭ（Electrically Erasable Programmable Read-Only Memory）、ハードディスク、又はＳ
ＳＤ（Solid State Drive）等を含む装置である。記憶装置１０３には、室外機１を制御
するためのプログラムや、室外機１の制御等に使用される各種設定値が記憶される。
【００２６】
情報処理装置１０４は、ＣＰＵ（Central Processing Unit）、ＭＰＵ（Micro Processing Unit）等のプロセッサ１０５と、ＲＡＭ、ＲＯＭ、ＮＶＲＡＭ等のメモリ１０６とを含む集積回路により構成される情報処理装置（コンピュータ）である。情報処理装置１０４は、例えば、ゲートアレイ等により構成される。
【００２７】
情報処理装置１０４は、制御部１０４１、及び空調機通信部１０４２の各機能を備える。
【００２８】
このうち制御部１０４１は、室外機動力部１０１、通信装置１０２、及び記憶装置１０３を制御する。
【００２９】
空調機通信部１０４２は、通信装置１０２を介して、室内機２及び制御装置４と情報の送受信を行う。具体的には、空調機通信部１０４２は、後述する、運転情報、制御情報、及びエネルギー変化予測情報を送受信する。
【００３０】
なお、空調機通信部１０４２は、これらの情報の送受信について、送信リトライ処理（送信に失敗した際に、再度送信を行う処理）、及び、応答待ちタイムアウト処理（一定時間所定のデータの受信がなかった場合にはそのデータの受信がないものとする処理）も行う。
【００３１】
室外機１の以上の機能は、室外機１のハードウェアによって、もしくは、情報処理装置１０４のプロセッサ１０５がメモリ１０６又は記憶装置１０３に格納されているプログラムを読み出して実行することにより実現される。
【００３２】
図３は、室内機２が備える構成及びその機能の一例を説明する図である。同図に示すように、室内機２は、室内機動力部２０１、空調機通信装置２０２、リモコン通信装置２０３、記憶装置２０４、及び情報処理装置２０５を含んで構成されている。
【００３３】
室内機動力部２０１は、室内熱交換器、室内送風機、及び室内膨張弁から構成される（いずれも不図示）。室内熱交換器は、室内空気と熱交換を行う。室内送風機は、室内空気を室内熱交換器に通風する。室内膨張弁は、電子膨張弁等で構成され、冷媒を減圧する。
【００３４】
空調機通信装置２０２は、室外機１、及び制御装置４と通信を行う通信インタフェースである。リモコン通信装置２０３は、リモコン３と通信を行う通信インタフェースである。
【００３５】
記憶装置２０４は、例えば、不揮発性メモリであるＦｌａｓｈ  ＲＯＭ、ＥＥＰＲＯＭ、ハードディスク、又はＳＳＤ等を含む装置である。
【００３６】
記憶装置２０４には、室内機２を制御するためのプログラム、及び室内機２を制御するための情報（以下、運転情報２０８という）が記憶される。
【００３７】
運転情報２０８は、例えば、室内機２の平均使用電力（定格情報）、室内機２の設定温度、室内機２の運転モード（暖房、冷房等）、室内機２の風量設定（強、弱等）、室内機２の内部状態に関する情報、及び室内機２に異常が発生した時にその異常の種類を特定するアラームコードを含む。
【００３８】
情報処理装置２０５は、ＣＰＵ（Central Processing Unit）、ＭＰＵ（Micro Processing Unit）等のプロセッサ２０６と、ＲＡＭ、ＲＯＭ、ＮＶＲＡＭ等のメモリ２０７とを含む集積回路により構成される情報処理装置（コンピュータ）である。情報処理装置２０５は、例えば、ゲートアレイ等により構成される。
【００３９】
情報処理装置２０５は、運転情報取得部２０５１、制御部２０５２、空調機通信部２０５３、及びリモコン通信部２０５４の各機能を備える。
【００４０】
運転情報取得部２０５１は、記憶装置２０４から運転情報２０８を取得する。
【００４１】
制御部２０５２は、室内機動力部２０１、空調機通信装置２０２、リモコン通信装置２０３、及び記憶装置２０４を制御する。
【００４２】
空調機通信部２０５３は、空調機通信装置２０２を介して室外機１、及び制御装置４と情報の送受信を行う。例えば、空調機通信部２０５３は、運転情報２０８や、後述する制御情報及びエネルギー変化予測情報を送受信する。なお、空調機通信部２０５３は、これらの情報の送受信について、送信リトライ処理、及び応答待ちタイムアウト処理を行う。
【００４３】
リモコン通信部２０５４は、リモコン通信装置２０３を介してリモコン３と情報の送受信を行う。例えば、リモコン通信部２０５４は、運転情報２０８や、後述する制御情報及びエネルギー変化予測情報を送受信する。なお、リモコン通信部２０５４は、これらの情報の送受信について、送信リトライ処理、及び応答待ちタイムアウト処理を行う。
【００４４】
情報処理装置２０５の以上の機能は、情報処理装置２０５のハードウェアによって、もしくは、情報処理装置２０５のプロセッサ２０６が、メモリ２０７又は記憶装置２０４に格納されているプログラムを読み出して実行することにより実現される。
【００４５】
図４は、リモコン３が備える構成及びその機能の一例を説明する図である。同図に示すように、リモコン３は、リモコン通信装置３０１、出力装置３０２、入力装置３０３、記憶装置３０４、及び情報処理装置３０５を含んで構成される。
【００４６】
リモコン通信装置３０１は、室内機２と通信を行う通信インターフェースであり、例えば、室内機２と赤外線通信を行う。
【００４７】
出力装置３０２は、例えば、液晶ディスプレイ（Liquid Crystal Display: LCD）やＬ
ＥＤ(Light Emitting Diode)等の表示デバイスを備えて構成される出力装置であり、室内機２やリモコン３に関連した情報を出力する。
【００４８】
入力装置３０３は、ボタン、スイッチ、タッチパネル等の入力デバイスを備えて構成される入力装置である。
【００４９】
記憶装置３０４は、例えば不揮発性メモリであるＦｌａｓｈ  ＲＯＭ、ＥＥＰＲＯＭ（Electrically Erasable Programmable Read-Only Memory）、ハードディスク、又はＳＳ
Ｄ（Solid State Drive）等を含む装置である。記憶装置３０４には、例えば、リモコン
３を制御するためのプログラム、リモコン３の設定値、リモコン３の内部状態に関する情報が記憶される。設定値には、室内機２の設定温度、室内機２の運転モード、室内機２の風量設定等が含まれる。内部状態に関する情報は、例えば、異常が発生した時に異常の種類を特定するアラームコードである。
【００５０】
情報処理装置３０５は、例えば、ＣＰＵ（Central Processing Unit）、ＭＰＵ（Micro
Processing Unit）等のプロセッサ３０６と、ＲＡＭ、ＲＯＭ、ＮＶＲＡＭ等のメモリ３０７とを含む集積回路により構成されている。情報処理装置３０５は、例えば、ゲートアレイ等により構成されている。
【００５１】
情報処理装置３０５は、制御部３０５１、リモコン通信部３０５２、エネルギー変化予測情報出力部３０５３、及び制御要因情報出力部３０５４の各機能を備える。
【００５２】
制御部３０５１は、リモコン通信装置３０１、出力装置３０２、入力装置３０３、及び記憶装置３０４を制御する。
【００５３】
例えば、制御部３０５１は、室内機２の運転／停止の制御、室内機２の運転モード（暖房、冷房等）の切り替え制御、設定温度の制御（室内機２の動力制御）、室内機２の風向きや風量の制御を行う。また、制御部３０５１はこれらの制御のスケジュールを設定する。
【００５４】
リモコン通信部３０５２は、接続している室内機２から運転情報を受信する。
【００５５】
またリモコン通信部３０５２は、リモコン通信装置３０１を介して室内機２の制御を行う。
【００５６】
具体的には、リモコン通信部３０５２は、自身が制御を行う機器（具体的には室内機２）を特定する情報（以下、制御対象情報という）、その機器に対して行う制御の具体的な内容を特定する情報（以下、制御内容情報という）、及びその制御を実行する要因を示す情報（以下、制御要因情報という）を生成する。例えば、リモコン通信部３０５２は、リモコン操作を行った（手動で操作を行った）ことを示す情報を、制御要因情報として生成する。
【００５７】
以上の制御情報（制御対象情報、制御内容情報、及び制御要因情報）は、制御装置４でも生成される。詳細は後述する。
【００５８】
リモコン通信部３０５２は、制御要因情報送信部３０５２１を備える。制御要因情報送信部３０５２１は、リモコン通信部３０５２が生成した、制御要因情報を含む制御情報を、制御対象情報が示す機器に送信する。
【００５９】
なお、リモコン通信部３０５２は、以上の情報の送受信について、送信リトライ処理、及び応答待ちタイムアウト処理を行う。
【００６０】
エネルギー変化予測情報出力部３０５３は、後述するエネルギー変化予測情報を受信し、受信したエネルギー変化予測情報を出力装置３０２に出力する。さらに、エネルギー変化予測情報出力部３０５３は、受信したエネルギー変化予測情報と共に、エネルギー変化予測情報を生成するために所定期間において必要な情報（以下、有効期間情報という）を
出力する。
【００６１】
制御要因情報出力部３０５４は、制御要因情報を含む制御情報を受信し、受信した制御要因情報をエネルギー変化予測情報と共に出力装置３０２に出力する。
【００６２】
図５は、制御装置４が備える構成及びその機能の一例を説明する図である。同図に示すように、制御装置４は、外部通信装置４０１、出力装置４０２、入力装置４０３、空調機通信装置４０４、記憶装置４０５、及び情報処理装置４０６を備える。
【００６３】
外部通信装置４０１は、他の制御装置４や監視装置９と通信を行う通信インタフェースである。
【００６４】
出力装置４０２は、例えば、液晶ディスプレイ（Liquid Crystal Display: LCD）やＬ
ＥＤ(Light Emitting Diode)等の表示デバイスを備えて構成される出力装置である。
【００６５】
入力装置４０３は、例えば、ボタン、スイッチ、タッチパネル、キーボード、マウス等の入力デバイスを備えて構成される入力装置である。
【００６６】
空調機通信装置４０４は、室外機１、及び室内機２と通信を行う通信インタフェースである。
【００６７】
記憶装置４０５は、例えば、不揮発性メモリであるＦｌａｓｈ  ＲＯＭ、ＥＥＰＲＯＭ（Electrically Erasable Programmable Read-Only Memory）、ハードディスク、又はＳ
ＳＤ（Solid State Drive）等を含む装置である。記憶装置４０５には、制御装置４を制
御するためのプログラムや、制御装置４の各種設定値が記憶される。
【００６８】
なお、出力装置４０２、入力装置４０３、及び記憶装置４０５は、制御装置４と独立した装置としてもよい。
【００６９】
情報処理装置４０６は、例えば、ＣＰＵ（Central Processing Unit）、ＭＰＵ（Micro
Processing Unit）等のプロセッサ４０７と、ＲＡＭ、ＲＯＭ、ＮＶＲＡＭ等のメモリ４０８の記憶装置とを含む集積回路により構成される情報処理装置である。情報処理装置４０６は、例えば、ゲートアレイ等により構成される。
【００７０】
情報処理装置４０６は、制御部４０１１、スケジュール管理部４０１２、スケジュール実行指示部４０１３、手動制御実行指示部４０１４、外部制御実行指示部４０１５、情報生成通信部４０１６、エネルギー変化予測情報生成部４０１７、エネルギー変化予測情報出力部４０２１、及び制御要因情報出力部４０２２の各機能を備える。
【００７１】
このうち制御部４０１１は、外部通信装置４０１、出力装置４０２、入力装置４０３、空調機通信装置４０４、及び記憶装置４０５を制御する。
【００７２】
スケジュール管理部４０１２は、制御装置４が空調機に対して行う制御及びそのスケジュールに関する情報を、制御スケジュール情報４１０として記憶装置４０５に記憶する。
【００７３】
図６は、制御スケジュール情報４１０の一例を説明する図である。同図に示すように、制御スケジュール情報４１０は、スケジュールテーブル４２０、及び制御パターンテーブル４３０を含む。
【００７４】
スケジュールテーブル４２０は、制御種類４２１と、制御時間４２２とを含む情報であ
る。制御種類４２１には、空調機に行う制御の種類を特定する情報（以下、制御種類情報という）が格納される。制御時間４２２には、制御種類４２１が示す制御を行う時間又は時間帯に関する情報（以下、制御時間情報という）が格納される。
【００７５】
なお、図６の例では、制御時間４２２には、曜日及び時間ごと（１時間ごと）に分割された時間帯の情報が格納され、制御種類４２１には前記時間帯ごとに、「Ａ」〜「Ｇ」の７種類の制御のうち１種類が格納されているが、制御時間４２２及び制御種類４２１の内容はこれらに限られない。例えば、制御時間４２２に任意の時刻又は時間帯を設定してもよい。また、制御種類４２１には、各時間帯又は時刻について、複数の種類の制御を設定してもよい。
【００７６】
制御パターンテーブル４３０は、制御種類４３１、制御対象４３２、制御内容４３３、及び制御要因４３４の各項目を含む、少なくとも１つ以上のレコードから構成されている。
【００７７】
制御種類４３１には、制御種類４２１と対応する、制御の種類を示す情報が格納される。
【００７８】
制御対象４３２には、制御種類４３１の制御を行う機器を特定する情報（制御対象情報）が格納される。制御内容４３３には、制御対象４３２の機器に対して行う制御の具体的な内容を特定する情報（制御内容情報）が格納される。制御要因４３４には、制御内容４３３の制御を行う要因に関する情報（制御要因情報）が格納される。
【００７９】
図６のスケジュールテーブル４２０を参照すると、例えば、月曜日から金曜日の毎日８時から１時間に、「Ａ」の種類の制御が実行されるように設定されている。そして、制御パターンテーブル４３０を参照すると、「Ａ」の種類の制御が制御種類４３１に格納されているレコードにおいて、制御対象４３２に「全体」が設定され、制御内容４３３に「運転、冷房、２６℃」が設定され、制御要因４３４に「通常運転」が設定されている。したがって、月曜日から金曜日の８時から１時間、通常運転を行わせようとすることを理由として、全ての空調機に対して設定温度が２６℃の冷房運転を行わせるための制御を行うことが設定されていることになる。
【００８０】
また、スケジュールテーブル４２０を参照すると、水曜日の１３時から１時間、「Ｇ」の種類の制御が実行されるように設定されている。そして、制御パターンテーブル４３０を参照すると、「Ｇ」の種類の制御が制御種類４３１に格納されているレコードにおいて、制御対象４３２に「２階」が設定され、制御内容４３３に「室外能力制御６０％」が設定され、制御要因４３４に「デマンド制御Lv3、単価：最高」が設定されている。したが
って、水曜日の１３時から１時間、レベル３のデマンド制御を最高の料金単価で行わせようとする理由で、２階に設置されている空調機に対して、６０％の能力をもって室外機１の運転を行わせるための制御を行うことが設定されていることになる。
【００８１】
ここで、以上に説明した制御スケジュール情報４１０は、例えば、制御装置４の管理者等が、出力装置４０２に表示される入力画面を参照しながら、入力装置４０３から必要な情報を入力することによって生成する。この入力は、例えば、任意の文字列を入力することにより行ってもよいし、あらかじめ用意された選択肢から選択することにより行ってもよい。
【００８２】
また、制御スケジュール情報４１０は、手動で入力されるのではなく、制御装置４が、監視装置９から受信した情報に基づき自動的に生成するようにしてもよい。具体的には、例えば、スケジュール管理部４０１２が、監視装置９から、所定の時間帯に電力の使用が
制限される旨の情報を受信した場合、または、所定の時間帯の電力料金の単価が通常時よりも高い旨の情報を受信した場合、スケジュール管理部４０１２は、当該所定の時間帯に空調機の使用電力量を減らす制御を行う旨を示す制御内容情報を生成し、生成した制御内容情報を制御内容４３３に設定する。さらに、スケジュール管理部４０１２は、全ての空調機に対して運転能力を８０％に制限し、又は、一部の空調機を停止する制御を行う旨を示す制御対象情報を生成し、生成した制御対象情報を制御対象４３２に設定する。また、スケジュール管理部４０１２は、「デマンド制御のため」や「電力料金単価が通常時よりも高いため」といった旨を示す制御要因情報を生成し、生成した制御要因情報を制御要因４３４に設定する。
【００８３】
次に、スケジュール実行指示部４０１３は、制御スケジュール情報４１０に基づき、空調機を制御するための情報（制御情報）を生成するよう、情報生成通信部４０１６に要求する。具体的には、スケジュール実行指示部４０１３は、制御パターンテーブル４３０の制御種類４３１、及びスケジュールテーブル４２０を参照し、現在時刻に行うべき制御の情報が格納されている制御パターンテーブル４３０のレコードを取得し、取得したレコードの制御対象４３２が示す制御対象情報、制御内容４３３が示す制御内容情報、及び制御要因４３４が示す制御要因情報を、情報生成通信部４０１６に送信する。
【００８４】
手動制御実行指示部４０１４は、管理者等から、入力装置４０３に直接、制御対象情報、及び制御内容情報が入力された場合に、入力された情報に基づき制御情報を生成するように、情報生成通信部４０１６に要求する。具体的には、手動制御実行指示部４０１４は、入力された情報（制御対象情報、及び制御内容情報）と、ユーザの要求に基づき手動で情報が入力装置４０３に入力されたことを示す制御要因情報とを、情報生成通信部４０１６に送信する。なお、この際、手動制御実行指示部４０１４は、入力装置４０３に制御時間情報に対応する情報が入力された場合には、現在時刻がその情報が示す時間帯又は時刻に達しているか否かを判断し、達していると判断した場合に、情報生成通信部４０１６に上記の制御対象情報、制御内容情報、及び制御要因情報を送信するようにしてもよい。
【００８５】
また、外部制御実行指示部４０１５は、他の制御装置４や監視装置９等の他の装置から、制御対象情報、及び制御内容情報を受信した場合に、受信した情報に基づき制御情報を生成するように、情報生成通信部４０１６に要求する。具体的には、例えば、外部制御実行指示部４０１５は、受信した情報（制御対象情報、及び制御内容情報）と、上記他の装置から情報を受信したこと（又は外部操作がなされたこと）を示す制御要因情報とを、情報生成通信部４０１６に送信する。なお、この際、外部制御実行指示部４０１５は、制御時間情報に対応する情報を受信した場合には、受信した制御時間情報が示す時間帯又は時刻に現在時刻が達している場合に、情報生成通信部４０１６に上記の制御対象情報、制御内容情報、及び制御要因情報を送信するようにしてもよい。
【００８６】
情報生成通信部４０１６は、スケジュール実行指示部４０１３、手動制御実行指示部４０１４、又は外部制御実行指示部４０１５からの要求に基づき、制御情報を生成する。具体的には、情報生成通信部４０１６は、スケジュール実行指示部４０１３、手動制御実行指示部４０１４、又は外部制御実行指示部４０１５から受信した、制御対象情報、制御内容情報、及び制御要因情報を含む情報を生成する。
【００８７】
また、情報生成通信部４０１６は、空調機に対する制御により生じるエネルギー変化に関する情報（以下、エネルギー変化予測情報という）を生成するように、エネルギー変化予測情報生成部４０１７に要求する。
【００８８】
ここで、エネルギー変化予測情報としては、例えば、空調機に制御を行った後の、その空調機の単位時間当たりの使用電力量、使用電力料金、ＣＯ2（二酸化炭素）の排出量、
エネルギー消費量、不快指数（空調機が対象とする空間の）、及び予想ＰＭＶ（PMV: Predicted Mean Vote)といった項目の値、その項目の値の変化率（例えば、制御前の日にお
ける値に対する比、制御前の時間帯における値に対する比、又は、制御前後の所定時間における平均値の比）、又はその項目の値の差分（制御前の日における値との差分、制御前の時間帯における値との差分、又は、制御前後の所定時間における平均値の差分）を想定することができる。エネルギー変化予測情報の詳細は後述する。
【００８９】
そして、情報生成通信部４０１６は、エネルギー変化予測情報生成部４０１７が生成したエネルギー変化予測情報を、当該エネルギー変化予測情報生成部４０１７から受信する。
【００９０】
また、情報生成通信部４０１６は、空調機通信装置４０４を介して空調機と情報の送受信を行う。
【００９１】
情報生成通信部４０１６は、エネルギー変化予測情報送信部４０１６１、及び制御情報送信部４０１６２を含む。
【００９２】
エネルギー変化予測情報送信部４０１６１は、情報生成通信部４０１６が生成した制御情報を空調機に送信する。
【００９３】
制御情報送信部４０１６２は、情報生成通信部４０１６が受信したエネルギー変化予測情報を、空調機に送信する。
【００９４】
なお、情報生成通信部４０１６は、送受信するこれらの情報について、送信リトライ処理、応答待ちタイムアウト処理を行う。
【００９５】
エネルギー変化予測情報生成部４０１７は、記憶装置４０５から運転情報２０８を取得し、取得した運転情報２０８に基づき、エネルギー変化予測情報を生成する。例えば、エネルギー変化予測情報生成部４０１７は、取得した運転情報２０８と、有効期間情報とに基づき、エネルギー変化予測情報を生成する。
【００９６】
エネルギー変化予測情報出力部４０２１は、エネルギー変化予測情報生成部４０１７が生成したエネルギー変化予測情報を出力する。例えば、エネルギー変化予測情報出力部４０２１は、生成したエネルギー変化予測情報と共に、有効期間情報を出力する。
【００９７】
制御要因情報出力部４０２２は、制御要因情報を含む制御情報を受信し、受信した制御要因情報をエネルギー変化予測情報と共に出力する。
【００９８】
以上の制御装置４の機能は、制御装置４のハードウェアによって、もしくは、制御装置４のプロセッサが、メモリ又は記憶装置に格納されているプログラムを読み出して実行することにより実現される。なお、制御装置４の機能の一部は、サーバ等の別装置に設けてもよい。
【００９９】
図７は、監視装置９が備える構成及びその機能の一例を説明する図である。同図に示すように、監視装置９は、通信装置９０１、出力装置９０２、入力装置９０３、記憶装置９０４、及び情報処理装置９０５を含んで構成される。
【０１００】
通信装置９０１は、制御装置４と通信を行うための通信インタフェースである。
【０１０１】
出力装置９０２は、例えば、液晶ディスプレイ（liquid crystal display: LCD）やＬ
ＥＤ(light emitting diode)等の表示デバイスを備えて構成される出力装置である。
【０１０２】
入力装置９０３は、例えば、ボタン、スイッチ、タッチパネル、キーボード、マウス等の入力デバイスを備えて構成される入力装置である。
【０１０３】
記憶装置９０４は、例えば、不揮発性メモリであるＦｌａｓｈ  ＲＯＭ、ＥＥＰＲＯＭ（Electrically Erasable Programmable Read-Only Memory）、ハードディスク、又はＳ
ＳＤ（Solid State Drive）等を含む装置である。記憶装置９０４には、監視装置９を制
御するためのプログラムや、監視装置９の各種設定値が記憶されている。
【０１０４】
なお、出力装置９０２、入力装置９０３、及び記憶装置９０４は、監視装置９とは別の装置であってもよい。
【０１０５】
情報処理装置９０５は、ＣＰＵ（Central Processing Unit）、ＭＰＵ（Micro Processing Unit）等のプロセッサ９０６と、ＲＡＭ、ＲＯＭ、ＮＶＲＡＭ等のメモリ９０７とを含む集積回路により構成される情報処理装置（コンピュータ）である。情報処理装置９０５は、例えば、ゲートアレイ等により構成される。
【０１０６】
情報処理装置９０５は、通信装置９０１、出力装置９０２、入力装置９０３、及び記憶装置９０４を制御する機能を有する。例えば、情報処理装置９０５は、空調機の使用料金（例えば時間帯別の料金）の情報（以下、時間帯別電気料金情報という）、空調機から排出されるＣＯ2量に関する定数（以下、ＣＯ2排出係数という）、及び電力の使用量及びエネルギー消費量に係る定数（以下、換算係数という）を制御装置４に送信する。
【０１０７】
情報処理装置９０５の機能は、情報処理装置９０５のハードウェアによって、もしくは、情報処理装置９０５のプロセッサ９０６がメモリ９０７又は記憶装置９０４に格納されているプログラムを読み出して実行することにより実現される。
【０１０８】
＜エネルギー変化予測情報＞
ここで、制御装置４によるエネルギー変化予測情報の生成方法について説明する。
エネルギー変化予測情報は、例えば、予想使用電力量、予想使用電力料金、予想ＣＯ2
排出量、予想エネルギー消費量、予想不快指数、予想ＰＭＶ（予測平均温冷感）である。エネルギー変化予測情報は、運転情報２０８に基づき生成（算出）される。
【０１０９】
エネルギー変化予測情報として予想使用電力量を算出する場合、制御装置４は、予想使用電力量を、「単位時間当たりの使用電力×所定時間」により算出する。単位時間当たりの使用電力は、制御装置４は、例えば、以下のように算出する。
【０１１０】
まず、停止していた空調機が運転を開始した場合の、その空調機の単位時間当たりの使用電力については、制御装置４は、取得した空調機の運転情報のうち、運転状態における平均使用電力（定格情報）を取得するか、もしくは、これを事前に記憶装置４０５に記憶しておく。もしくは、制御装置４は、過去の空調機の使用実績を記憶しておき、この使用実績に基づき単位時間当たりの使用電力を算出する。
【０１１１】
また、空調機の動作条件（例えば、運転モード、設定温度、風量、運転能力制御レベル）が変更された場合における、その空調機の使用電力については、制御装置４は、その空調機の運転情報のうち、その動作条件に係る情報を取得するか、もしくは、これを事前に記憶装置４０５に記憶しておく。もしくは、制御装置４は、過去の空調機の使用実績を記憶しておき、この使用実績に基づき使用電力を算出する。
【０１１２】
例えば、動作条件の変更が運転モード（冷房、暖房等）や設定温度の場合の使用電力については、制御装置４は、動作条件の変更後の空調機の平均使用電力の情報を使用電力として取得する。また、動作条件の変更が運転能力制御レベルの場合の使用電力については、制御装置４は、動作条件の変更前の空調機の平均使用電力を使用電力として取得する。そして、制御装置４は、例えば、「変更直前までの所定時間における空調機の平均使用電力×抑制度（例：８０％）」を使用電力として算出する。なお、平均の対象となる時間は、「制御を開始した時刻から１時間」（例：９：３０に制御を開始した場合は９：３０〜１０：３０）や、「制御を行った時刻を含む１時間帯」（例：９：３０に制御を開始した場合は９：００〜１０：００）のように、制御を開始した時間に基づき決定される。
【０１１３】
次に、エネルギー変化予測情報として予想使用電力料金を算出する場合、制御装置４は、予想使用電力料金を、「予想使用電力量×電力料金時間単価」により算出する。ここで、予想使用電力量の算出方法は前記と同様である。また、電力料金時間単価については、制御装置４は、事前に記憶装置４０５に記憶しておくか、もしくは、監視装置９から時間帯別電気料金情報を受信する。
【０１１４】
次に、エネルギー変化予測情報として予想ＣＯ2排出量を算出する場合、制御装置４は
、予想ＣＯ2排出量を、「予想使用電力量×ＣＯ2排出係数」により算出する。ここで、予想使用電力量の算出方法は前記と同様である。また、ＣＯ2排出係数については、制御装
置４は、事前に記憶装置４０５に記憶しておくか、もしくは、監視装置９からＣＯ2排出
係数を受信する。
【０１１５】
次に、エネルギー変化予測情報として予想エネルギー消費量を算出する場合、制御装置４は、「予想使用電力量×換算係数」により予想エネルギー消費量を算出する。ここで、予想使用電力量の算出方法は前記と同様である。また、換算係数については、制御装置４は、事前に記憶装置４０５に記憶しておくか、もしくは、監視装置９から換算係数を受信する。
【０１１６】
次に、エネルギー変化予測情報として予想不快指数を算出する場合、制御装置４は、湿度と温度により予想不快指数を算出する。ここで、温度については、制御装置４は、例えば、運転情報のうち空調機の設定温度を取得する。また、湿度については、制御装置４は、例えば、各空調機の各動作条件における湿度の変化に関する情報を取得し（もしくは、記憶装置４０５に予め記憶しておく）、さらに、各空調機の現在の湿度と、制御後の空調機の湿度とを取得し、取得したこれらの湿度に基づき算出する。なお、空調機の湿度については、例えば、制御装置４が、室内機２に設けた湿度センサ（図示せず）からその測定値を取得するようにする。
【０１１７】
次に、エネルギー変化予測情報として予想ＰＭＶ（予測平均温冷感）を算出する場合、制御装置４は、温度、湿度、気流、熱放射、代謝量、及び着衣量により予想ＰＭＶを算出する。ここで、温度、及び湿度の算出方法は前記と同様である。気流については、制御装置４は、運転情報２０８のうち、空調機に設定されている風量の情報を取得する。熱放射については、例えば、制御装置４は、室内機２に設けた放射センサ（図示せず）からその測定値を取得するようにする。代謝量、及び着衣量については、例えば、制御装置４が、事前に記憶装置４０５に記憶する。
【０１１８】
また、エネルギー変化予測情報として変化率を算出する場合、すなわち、使用電力量、使用電力料金、ＣＯ2排出量、エネルギー消費量、不快指数、及び予想ＰＭＶに係る変化
率を算出する場合は、例えば、以下のように構成する。
【０１１９】
まず、制御装置４は、使用電力量、使用電力料金、ＣＯ2排出量、エネルギー消費量、
不快指数、及び予想ＰＭＶのそれぞれについて、過去の実績値（例えば、前日の値、過去の所定時間帯における値、又は過去の所定期間における平均値）を算出し、算出した実績値を記憶装置４０５に記憶する。このうち、使用電力量の過去の実績値については、例えば、制御装置４は、各空調機に取り付けられている電力量計の測定値や、空気調和システム１０の各所に取り付けられている電力量計の測定値に基づき按分計算した値や、各空調機の運転時間、サーモオン時間、及び平均使用電力（定格情報）から算出した値を過去の実績値とする。使用電力料金、ＣＯ2排出量、及びエネルギー消費量の過去の実績値につ
いては、例えば、制御装置４は、使用電力量の過去の値に、それぞれ、電気料金の単価、ＣＯ2排出係数、及び換算係数を乗じた値を過去の実績値とする。不快指数、及びＰＭＶ
の過去の値については、例えば、室内機２に設けた温度センサ（不図示）の定期的な測定値と上記湿度センサの測定値とを用いて過去の実績値を算出する。そして、制御装置４は、以上のようにして算出された過去の実績値と、制御後の予測値との比率を計算することにより変化率を算出する。
【０１２０】
次に、エネルギー変化予測情報として差分を算出する場合、すなわち、使用電力量、使用電力料金、ＣＯ2排出量、エネルギー消費量や、不快指数、予想ＰＭＶに係る差分を算
出する場合は、例えば、制御装置４は、前記と同様に過去の実績値を算出し、算出した過去の実績値と制御後の予測値との差分を計算する。
【０１２１】
なお、制御装置４は、上記のように生成（算出）したエネルギー変化予測情報（計算結果）をそのままエネルギー変化予測情報とするのではなく、生成したエネルギー変化予測情報をさらに段階別に表した情報をエネルギー変化予測情報としてもよい。例えば、制御装置４が、予め、所定の閾値１及び閾値２（閾値１＜閾値２）を記憶しておき、上記計算結果が、「閾値１未満」、「閾値１以上、閾値２未満」、及び「閾値２以上」の３段階のいずれであるかを特定するように構成する。そして、制御装置４は、この特定した結果をエネルギー変化予測情報とする。これにより、使用電力量のような計算結果の値をそのまま使用する場合に比べて、情報量を減らすことができ、空気調和システム１０における通信量を減らすことができる。
【０１２２】
このように、本実施例の空気調和システム１０では、室内機２が運転を行うことにより生じるエネルギー変化に関する様々な項目の情報を生成するので、これを表示することで、空調機の利用者等の多角的視点に基づく省エネ意識を向上させることができる。
【０１２３】
＜空気調和システム１０において行われる処理＞
次に、空気調和システム１０において行われる処理について説明する。
【０１２４】
＜エネルギー情報表示処理Ｓ０＞
図８は、空気調和システム１０において行われる処理（以下、エネルギー情報表示処理Ｓ０という）を説明するフローチャートの例である。この処理は、リモコン３に空気調和システム１０におけるエネルギー変化予測情報を表示させるために実行され、例えば、空調機（室外機１、及び室内機２）に電源が投入されたことを契機に開始される。
【０１２５】
同図に示すように、まず空調機は、制御装置４から送信されてきた制御情報（Ｓ１）、もしくは、リモコン３から送信されてきた制御情報（Ｓ２）を受信すると、受信した制御情報に基づき、空調機の運転動作を開始し、又は空調機の運転動作の内容を変更する（Ｓ３）。
【０１２６】
すると、室内機２は、運転動作を行った後、自身の運転情報２０８を取得し、取得した運転情報２０８を、制御装置４に送信する（Ｓ４）。
【０１２７】
制御装置４は、運転情報２０８を受信すると（Ｓ５）、受信した運転情報２０８に基づきエネルギー変化予測情報を生成し（Ｓ６）、生成したエネルギー変化予測情報を、空調機を介してリモコン３に送信する（Ｓ７）。
【０１２８】
そして、リモコン３は、エネルギー変化予測情報を受信し（Ｓ８）、受信したエネルギー変化予測情報を表示する（Ｓ９）。
【０１２９】
次に、エネルギー情報表示処理Ｓ０の詳細について説明する。
【０１３０】
＜第１表示処理Ｓ１００＞
図９は、エネルギー情報表示処理Ｓ０のうち、リモコン３が、制御装置４が送信した制御情報に基づき（Ｓ１）、エネルギー変化予測情報（同図では予測情報と記載）を表示する処理（以下、第１表示処理Ｓ１００という）及びこの処理における情報の流れを説明する図である。なお、図９において各構成要素に付した符号は、図１に準じている。
【０１３１】
第１表示処理Ｓ１００は、例えば、制御装置４が、制御情報を送信した場合に開始される。すなわち、制御装置４−１は、現在が制御を行う時間（又は時間帯）である場合に（Ｓ１０１）、その時間帯（又は時間）に行う制御に関する制御情報、及びエネルギー変化予測情報を、制御対象の室内機２に送信する（Ｓ１０２ａ、Ｓ１０２ｂ）。
【０１３２】
具体的には、制御装置４−１は、スケジュールテーブル４２０の制御種類４２１及び制御時間４２２を参照し、現在時刻に行う制御の種類を制御種類４２１から取得する。そして制御装置４−１は、制御の種類を取得すると（Ｓ１０１）、取得した制御の種類に対応する種類の制御が制御種類４３１に設定されている、制御パターンテーブル４３０のレコードを取得し、取得したレコードの制御対象４３２、制御内容４３３、及び制御要因４３４の内容（情報）を取得し、取得したこれらの情報に基づき制御情報を生成する。また、制御装置４−１は、制御対象４３２が示す室内機２の運転情報２０８を取得し、取得した運転情報２０８に基づきエネルギー変化予測情報を生成する（Ｓ１０２ａ）。そして制御装置４−１は、生成した制御情報を、制御対象４３２が示す室内機２に送信すると共に、生成したエネルギー変化予測情報を、制御対象４３２が示す室内機２に送信する（Ｓ１０２ｂ）。
【０１３３】
なお、不図示であるが、制御装置４−１は、手動制御実行指示部４０１４、又は外部制御実行指示部４０１５に基づき、制御情報及びエネルギー変化予測情報を室内機２に送信するようにしてもよい。
【０１３４】
制御情報、及びエネルギー変化予測情報を受信した室内機２（以下、本処理の説明では単に室内機２という）は、受信した制御情報に基づき、当該室内機２の運転動作を変更する（Ｓ１０３）。
【０１３５】
室内機２は、受信した制御情報に基づき運転動作を変更した後、自身の運転情報２０８を取得し、取得した運転情報２０８と、Ｓ１０２ｂで受信した制御情報、及びエネルギー変化予測情報とを、自身に対応するリモコン３に送信する（Ｓ１０４）。そして、これらの情報を受信したリモコン３は、受信した情報を記憶装置３０４に記憶すると共に、受信した情報の内容を出力装置３０２に表示する（Ｓ１０７）。
【０１３６】
また、室内機２は、取得した自身の運転情報２０８と、Ｓ１０２ｂで受信した制御情報、及びエネルギー変化予測情報とを、制御装置４−１、４−２に送信する（Ｓ１０５、Ｓ１０６）。
【０１３７】
このうち、制御装置４−２は、室内機２から受信した情報を記憶装置４０５に記憶すると共に、受信した情報の内容を出力装置４０２に表示する（Ｓ１０８）。
【０１３８】
一方、制御装置４−１は、室内機２から受信した情報を、制御装置４−４に送信する（Ｓ１０９）。そして、制御装置４−１から当該情報を受信した制御装置４−４は、受信した情報を記憶装置４０５に記憶すると共に、出力装置４０２に表示する（Ｓ１１０）。
【０１３９】
以上のように、第１表示処理Ｓ１００では、制御装置４が、制御要因情報を含む制御情報を送信すると、その制御情報の内容、及びエネルギー変化予測情報の内容が、リモコン３の出力装置３０２に表示される。このように、第１表示処理Ｓ１００では、空調制御の理由がリモコン３の利用者に対して提示されるので、例えば、空調機の利用者等は、リモコン３に表示される画面を見ることで、制御装置４が行った制御の要因（制御の目的、原因等）と、その制御により生じる効果（例えば省エネ効果）を認識することができる。これにより、空調機の利用者等の省エネ意識を高めることができる。
【０１４０】
＜第２表示処理Ｓ２００＞
図１０は、エネルギー情報表示処理Ｓ０のうち、リモコン３が送信した制御情報に基づき（Ｓ２）、リモコン３がエネルギー変化予測情報（同図では予測情報と記載）を表示する処理（以下、第２表示処理Ｓ２００という）及びこの処理における情報の流れを説明する図である。第２表示処理Ｓ２００は、例えば、空調機の利用者が、リモコン３の入力装置３０３に、運転を開始、又は運転状態を変更する指示の入力（例えば、運転モードの変更、風量の変更等）を行った場合に開始される。
【０１４１】
すなわち、同図に示すように、リモコン３に操作が行われると（Ｓ２０１）、リモコン３は、入力された指示に基づき制御情報を生成し、生成した制御情報を、対応する室内機２に送信する（Ｓ２０２）。
【０１４２】
制御情報を受信した室内機２は、受信した制御情報に基づき運転を開始、又は運転状態を変更する（Ｓ２０３）。その後室内機２は、自身の運転情報２０８を取得し、取得した運転情報２０８と、Ｓ２０２に基づき受信した制御情報とを、制御装置４−１、４−２に送信する（Ｓ２０４、Ｓ２０５）。
【０１４３】
このうち制御装置４−２は、運転情報２０８及び制御情報を受信すると、受信したこれらの情報を記憶装置４０５に記憶すると共に、これらの情報の内容を出力装置４０２に表示する（Ｓ２０６）。
【０１４４】
一方、制御装置４−１は、運転情報２０８及び制御情報を受信すると、受信したこれらの情報に基づき、エネルギー変化予測情報を生成する（Ｓ２０７）。
【０１４５】
そして、制御装置４−１は、生成したエネルギー変化予測情報と、Ｓ２０４に基づき受信した運転情報２０８及び制御情報とを、室内機２に送信する（Ｓ２０８）。また、制御装置４−１は、生成したエネルギー変化予測情報と、Ｓ２０４に基づき受信した運転情報２０８及び制御情報とを、制御装置４−４に送信する（Ｓ２０９）。
【０１４６】
エネルギー変化予測情報、運転情報２０８、及び制御情報を受信した制御装置４−４は、受信したこれらの情報を記憶装置４０５に保存すると共に、これらの情報の内容を出力装置４０２に表示する（Ｓ２１０）。
【０１４７】
一方、エネルギー変化予測情報、運転情報２０８、及び制御情報を受信した室内機２は、受信したこれらの情報を、対応するリモコン３に送信する（Ｓ２１１）。また、この室
内機２は、受信したこれらの情報を、制御装置４−２に送信する（Ｓ２１２）。
【０１４８】
エネルギー変化予測情報、運転情報２０８、及び制御情報を受信したリモコン３は、受信したこれらの情報を記憶装置３０４に保存すると共に、これらの情報の内容を出力装置３０２に表示する（Ｓ２１３）。
【０１４９】
また、エネルギー変化予測情報、運転情報２０８、及び制御情報を受信した制御装置４−２は、受信したこれらの情報を記憶装置４０５に保存すると共に、これらの情報の内容を出力装置４０２に表示する（Ｓ２１４）。
【０１５０】
以上のように、第２表示処理Ｓ２００では、リモコン３が、制御要因情報を含む制御情報を送信すると、その制御情報の内容、及びエネルギー変化予測情報の内容が、そのリモコン３の出力装置３０２に表示される。このように、第２表示処理Ｓ２００では、リモコン３による操作が行われたこと及びその予想効果がリモコン３の利用者に対して提示されるので、例えば、空調機の利用者等は、リモコン３に表示される画面を見ることで、自身が行ったリモコン操作により生じる効果（例えば省エネ効果）を知ることができる。これにより、空調機の利用者等の省エネ意識を高めることができる。
【０１５１】
＜リモコンの画面表示＞
図１１は、エネルギー情報表示処理Ｓ０に基づきリモコン３に表示される画面の一例を説明する図である。
【０１５２】
同図に示す符号Ｄ１０１〜Ｄ１０５のうちＤ１０１は、空調機が運転を停止している場合に表示される画面の一例である。すなわち、制御情報及びエネルギー変化予測情報のいずれの内容も表示されていない。以下、これを初期状態とする。
【０１５３】
Ｄ１０２は、リモコン３に空調機の運転操作の入力が行われた場合に表示される画面である。すなわち、この画面には、制御情報（制御要因情報）の内容として「リモコン操作」が表示され（符号６１１）、エネルギー変化予測情報の内容として「予想料金￥５００／ｈ」が表示される（符号６１２）。なお、この制御情報はスケジュール管理部４０１２が生成した情報であり、エネルギー変化予測情報はエネルギー変化予測情報生成部４０１７が生成した情報である。
【０１５４】
Ｄ１０３は、第１表示処理Ｓ１００が行われた場合に表示される画面の一例である。すなわち、制御情報（制御要因情報）の内容として「ピークシフト」が表示され（符号６１３）、エネルギー変化予測情報として電気料金である「予想料金￥６００／ｈ」が表示され（符号６１４）、有効期間情報である「１１：００−１２：００」が表示される（符号６１５）。これらの表示は、制御装置４が、時間帯別料金情報を受信し、１２時から電力料金が上がると判断したため、電気料金が上がる前にデマンド制御を行っている（強めの運転を行っている）ことを示している。なお、この制御情報はスケジュール管理部４０１２が生成した情報であり、エネルギー変化予測情報はエネルギー変化予測情報生成部４０１７が生成した情報である。
【０１５５】
このように、リモコン３は、エネルギー変化予測情報と共に、有効期間情報を出力する。すなわち、リモコン３は、空調機が将来行う制御の期間（例えば、次のスケジュール制御が実行されるまでの期間）を表示することで、空調機の利用者の予測可能性を高め、利便性を高めることができる。
【０１５６】
Ｄ１０４は、Ｄ１０３に続き、再び第１表示処理Ｓ１００が行われた場合に表示される画面の一例である。すなわち、制御情報（制御要因情報）の内容として「デマンド制御中
単価×５」が表示され（符号６１６）、エネルギー変化予測情報の内容として電気料金である「予想料金￥１５００／ｈ」が表示され（符号６１７）、有効期間情報である「１２：００−１４：００」が表示される（符号６１８）。これらの表示は、制御装置４が、受信した時間帯別電気料金情報に基づき、１２時から１４時までの電力料金単価が通常の５倍になると判断し、５倍になる前に、節電のための制御（デマンド制御）を行う制御情報を生成したことを示している。なお、この場合の制御情報及びエネルギー変化予測情報の生成主体はＤ１０３と同様である。
【０１５７】
Ｄ１０５は、Ｄ１０４で説明したデマンド制御が終了した場合に表示される画面の一例である。すなわち、制御情報（制御要因情報）の内容として「通常運転」が表示され（符号６１９）、エネルギー変化予測情報として「予想料金￥５００／ｈ」が表示される（符号６２０）。これらの表示は、制御装置４が、時間帯別電気料金情報を受信し、電気料金単価の高い時間帯が終了して通常の電気料金単価になったと判断したことに基づき、デマンド制御を終了して通常運転に戻す制御を行うための制御情報を生成したことを示している。なお、この制御情報及びエネルギー変化予測情報の生成主体はＤ１０３と同様である。
【０１５８】
以上のように表示される画面により、空調機の利用者は、リモコン３の画面を見ることで、空調機に制御がなされた要因（理由）、その制御による効果、及びその有効期間を認識することができるようになる。
【０１５９】
なお、以上の画面にはエネルギー変化予測情報として予想電気料金が表示されているが、この他に、使用電力量、ＣＯ2排出量、エネルギー消費量や、不快指数、及び予想ＰＭ
Ｖの各項目の値、これらの値の変化率、又はこれらの値の差分といったエネルギー変化予測情報を表示するようにしてもよい。また、これらのエネルギー変化予測情報のうちいずれを表示するかを、制御装置４の入力装置４０３やリモコン３の入力装置３０３を介して設定できるようにする機能を、制御装置４やリモコン３に設けてもよい。これにより、制御装置４、リモコン３、空調機の利用者は、必要な情報のみを効率よく知ることができる。
【実施例２】
【０１６０】
実施例１では、制御装置４やリモコン３から制御情報が送信されたタイミングに応じて、その制御情報やエネルギー変化予測情報がリモコン３等に表示されるが、本実施例では、制御情報が送信されたタイミングとは異なるタイミングで、制御情報やエネルギー変化予測情報がリモコン３等に表示される。以下、本実施例の空気調和システム１０について説明する。
【０１６１】
まず、室外機１、室内機２、リモコン３、及び監視装置９の構成及びその機能は実施例１と同様である。
【０１６２】
図１２は、本実施例の制御装置４が備える構成及びその機能の一例を説明する図である。同図に示すように、実施例１と異なる点は、情報処理装置４０６が時間監視部４０１８の機能を備える点である。
【０１６３】
時間監視部４０１８は、エネルギー変化予測情報を生成するために必要な情報のうち、時間によってその内容が変化する情報（以下、時間依存情報という）を取得し、取得した時間依存情報の内容を監視する。例えば、時間監視部４０１８は、監視装置９から受信した時間帯別電気料金情報を随時（例えば、所定時間（例えば１時間）ごとに）取得し、取得した時間帯別電気料金情報の内容を監視する。
【０１６４】
そして、時間監視部４０１８が、時間依存情報の内容が変化したと判断した場合に、情報生成通信部４０１６は、運転情報２０８と、変化した時間依存情報とに基づき、新たなエネルギー変化予測情報を生成するよう、エネルギー変化予測情報生成部４０１７に要求する。具体的には、情報生成通信部４０１６は、自身が受信した制御対象情報、及び制御内容情報と、エネルギー変化予測情報の算出根拠が変更された旨を示す制御要因情報とを、エネルギー変化予測情報生成部４０１７に送信する。例えば、エネルギー変化予測情報生成部４０１７は、制御要因情報として、「料金単価が通常時の２倍から元に戻った」旨を示す情報を送信する。
【０１６５】
エネルギー変化予測情報生成部４０１７は、この要求に基づき、エネルギー変化予測情報を生成する。具体的には、エネルギー変化予測情報生成部４０１７は、運転情報２０８と、上記変化した時間依存情報とに基づき、エネルギー変化予測情報を生成する。
【０１６６】
そして、エネルギー変化予測情報送信部４０１６１は、エネルギー変化予測情報生成部４０１７が生成したエネルギー変化予測情報をリモコン３に送信し、リモコン３のエネルギー変化予測情報出力部３０５３は、受信したエネルギー変化予測情報を出力する。
【０１６７】
図１３は、本実施例においてリモコン３の出力装置３０２に出力される画面の一例を説明する図である。
【０１６８】
同図に示す符号Ｄ１０１、Ｄ１０６、Ｄ１０３、Ｄ１０４、Ｄ１０７、及びＤ１０８のうち、Ｄ１０１は実施例１と同様である。
【０１６９】
Ｄ１０６は、実施例１のＤ１０２に対応する、リモコン３から空調機の運転操作を行った場合に表示される画面の一例である。図１３に示すように、Ｄ１０６は、有効期間情報として「１０：００−１１：００」といった時間帯（有効期間）が表示される（符号７１１）。この表示は、例えば、制御装置４が、時間帯別電気料金情報を受信し、受信した時間帯別料金情報が示す、料金が一定の時間を取得したことを示す。
【０１７０】
次に、Ｄ１０３、及びＤ１０４については実施例１と同様である。
【０１７１】
Ｄ１０７は、現在時刻が、Ｄ１０４（Ｄ１０２）で示したデマンド制御の終了時刻（１４時）に到達した場合に表示される画面の一例である。図１３に示すように、制御要因情報として「通常運転  単価×２」が表示され（符号７１２）、エネルギー変化予測情報として電気料金である「予想料金￥１０００／ｈ」が表示され（符号７１３）、有効期間情報として「１４：００−１５：００」が表示される（符号７１４）。この表示は、例えば、制御装置４が、時間帯別料金情報を受信し、現在の時間帯別電気料金情報は通常の電気料金単価よりは高いが、デマンド制御を行う程高くはないと判断したことに基づき、通常運転を行う旨の制御情報を生成したことを示す。なお、この制御情報はスケジュール管理部４０１２が生成した情報であり、エネルギー変化予測情報はエネルギー変化予測情報生成部４０１７が生成した情報である。
【０１７２】
Ｄ１０８は、Ｄ１０７で示した、電気料金単価が通常より高い時間帯が終了し（１５時）、現在時刻が通常の電気料金単価の時間帯に戻った場合に表示される画面の一例である。図１３に示すように、制御要因情報として「通常運転」（「単価×２」が削除されている）が表示され（符号７１５）、エネルギー変化予測情報として「予想料金￥５００／ｈ」が表示され（符号７１６）、有効期間情報として「１５：００−１６：００」が表示される（符号７１７）。この表示は、例えば、制御装置４が、「料金単価が通常時の２倍から元に戻った」という旨の時間帯別電気料金情報を受信したため、受信した時間帯別料金情報に基づき、料金単価が（２倍ではなく）通常の単価の下での通常運転を行う旨の新た
な制御情報を生成したことを示す。なお、この制御情報はスケジュール管理部４０１２が生成した情報であり、エネルギー変化予測情報はエネルギー変化予測情報生成部４０１７が生成した情報である。
【０１７３】
以上のように、本実施例の空気調和システム１０では、制御装置４が、空調機の制御内容以外の変更が生じた場合でも、その変更に基づき新たなエネルギー変化予測情報を生成し、リモコン３は、生成したエネルギー変化予測情報の内容を表示する。これにより、空調機の利用者は、空調機の制御以外の様々な要因に基づいて生じるエネルギー変化に関する情報を、迅速に知ることができる。例えば、電気事業者等により電気料金単価が変更された場合でも、その場合に変更される電気料金の内容を迅速に知ることができる。また、これにより、空調機の利用者等の省エネ意識、省コスト意識を向上させることができる。
【実施例３】
【０１７４】
実施例１、２では、リモコン３が、自身が対応する１台の室内機２に関するエネルギー変化予測情報を表示していたが、本実施例の空気調和システム１０では、リモコン３が、複数の室内機２のエネルギー変化予測情報を表示することができるように構成されている。また、制御装置４も、複数の室内機２のエネルギー変化予測情報を表示することができる。以下、本実施例における空気調和システム１０について説明する。
【０１７５】
まず、室外機１、室内機２、リモコン３、及び監視装置９の構成及び機能は実施例１、２と同様である。
【０１７６】
図１４は、本実施例の制御装置４が備える構成及びその機能の一例を説明する図である。同図に示すように、実施例１、２と異なる点は、情報処理装置４０６が出力範囲管理情報生成部４０１９を備え、また、記憶装置４０５が出力範囲管理情報４４０を記憶している点である。
【０１７７】
出力範囲管理情報生成部４０１９は、空気調和システム１０における複数の室内機２のうち、いずれの室内機２のエネルギー変化予測情報を出力するかを示す情報（以下、出力範囲管理情報という）を生成する。
【０１７８】
具体的には、出力範囲管理情報生成部４０１９は、空気調和システム１０の管理者等により、入力装置４０３を介して入力された情報から、出力範囲管理情報を生成し、記憶装置４０５に記憶する。
【０１７９】
図１５は、出力範囲管理情報４４０の一例（以下、第１情報という）を説明する図である。同図に示すように、出力範囲管理情報４４０は、表示機器４４１、及び表示対象機器４４２の各項目を含む、少なくとも１つ以上のレコードで構成されるテーブルである。表示機器４４１には、空気調和システム１０における機器（リモコン３、又は制御装置４）を特定する情報が格納される。表示対象機器４４２には、表示機器４４１の機器によってそのエネルギー変化予測情報が表示される機器（室内機２）を特定する情報が格納される。同図では、例えば、「リモコンＡ」には、「室内機Ａ」のエネルギー変化予測情報が表示され、「リモコンＣ」には、「室内機Ｃ」と「室内機Ｄ」のエネルギー変化予測情報の合計情報（例えば電気料金の合計値）が表示され、「制御装置Ｂ」には、「全体」、すなわち空気調和システム１０における全ての室内機２のエネルギー変化予測情報（例えば電気料金の合計値）が表示される。
【０１８０】
図１６は、出力範囲管理情報４４０の他の一例（以下、第２情報という）を説明する図である。同図に示すように、出力範囲管理情報４４０は、表示機器４４３、及び表示対象グループ４４４の各項目を含む、少なくとも１つ以上のレコードで構成されるテーブルで
ある。表示機器４４３は、表示機器４４１と同様である。表示対象グループ４４４には、表示機器４４３の機器によってそのエネルギー変化予測情報が表示される、機器（室内機２）のグループを特定する情報が格納される。例えば、「リモコンＡ」には、施設の１階に設けられている「室内機Ａ」及び「室内機Ｂ」からなる室内機２のグループである「グループ１階Ａ」のグループにおけるエネルギー変化予測情報（例えばこのグループにおける室内機２の電気料金の合計値）が表示され、「制御装置Ｂ」には、施設の１階に設けられている「室内機Ａ」及び「室内機Ｂ」からなる室内機２のグループである「グループ１階Ａ」のグループにおけるエネルギー変化予測情報（例えばこのグループにおける室内機２の電気料金の合計値）が表示される。
【０１８１】
出力範囲管理情報生成部４０１９が、このように出力範囲管理情報４４０を生成すると、エネルギー変化予測情報送信部４０１６１は、生成した出力範囲管理情報４４０を、エネルギー変化予測情報生成部４０１７が生成したエネルギー変化予測情報と共に、リモコン３に送信する。
【０１８２】
そして、リモコン３は、出力範囲管理情報４４０、及びエネルギー変化予測情報を受信し、エネルギー変化予測情報出力部３０５３は、受信したエネルギー変化予測情報のうち、出力範囲管理情報４４０が示す室内機２のエネルギー変化予測情報を出力する。
【０１８３】
図１７は、出力範囲管理情報４４０のうち第１情報に基づきリモコン３又は制御装置４に表示される画面の一例である。第１情報は、「リモコンＡ」に、「室内機Ａ」のエネルギー変化予測情報を表示させるための情報であるので、「リモコンＡ」の画面には、「室内機Ａ」における予想電気料金（１時間当たり）である「￥２０」が表示される（符号８１１）。また、第１情報は、「制御装置Ｂ」の画面に、施設における全ての室内機２のエネルギー変化予測情報を表示させるための情報であるので、「制御装置Ｂ」の画面には、施設における全ての室内機２（「室内機Ａ」の予想電気料金「￥２０」、「室内機Ｂ」の予想電気料金「￥３０」、「室内機Ｃ」の予想電気料金「￥１０」、「室内機Ｄ」の予想電気料金「￥１０」、「室内機Ｅ」の予想電気料金「￥２０」、「室内機Ｆ」の予想電気料金「￥２０」、「室内機Ｇ」の予想電気料金「￥１０」、「室内機Ｈ」の予想電気料金「￥３０」）の予想電気料金の合計（１時間当たり）である「￥１５０」が表示される（符号８１２）。
【０１８４】
図１８は、出力範囲管理情報４４０のうち第２情報に基づきリモコン３又は制御装置４に表示される画面の一例である。第２情報は、「リモコンＡ」に、施設の１階に設けられている２台の室内機２（「室内機Ａ」及び「室内機Ｂ」）のエネルギー変化予測情報を表示させるための情報なので、「リモコンＡ」の画面には、「室内機Ａ」の予測電気料金である「￥２０」と「室内機Ｂ」の予測電気料金「￥３０」の合計（１時間当たり）である「￥５０」が表示される（符号９１１）。また、第２情報は、「制御装置Ｂ」に、施設の１階に設けられている２台の室内機２である「室内機Ａ」及び「室内機Ｂ」のエネルギー変化予測情報を表示させるための情報であるので、「制御装置Ｂ」の画面には、「室内機Ａ」及び「室内機Ｂ」の予想電気料金の合計（１時間当たり）である「￥５０」が表示される（符号９１２）。
【０１８５】
以上のように、本実施例の空気調和システム１０によれば、リモコン３は、出力範囲管理情報４４０が示す範囲の室内機２のエネルギー変化予測情報（例えば複数台の室内機２のエネルギー変化予測情報）を画面に表示するので、リモコン３や空調機の利用者は、自身が関わる範囲、例えば自身が使用する空調機の範囲における空調機のエネルギー変化予測情報を知ることができ、自身が必要とする範囲のエネルギー変化予測情報のみを効率よく知ることができる。
【０１８６】
また、制御装置４も、出力範囲管理情報４４０が示す範囲の室内機２のエネルギー変化予測情報（例えば複数台の室内機２のエネルギー変化予測情報）を画面に表示するので、制御装置４の管理者等は、自身が関わる範囲、例えばその管理者が管理する空調機の範囲、における空調機のエネルギー変化予測情報を知ることができ、自身の管理に必要な範囲のエネルギー変化予測情報のみを効率よく知ることができる。
【０１８７】
本発明は、以上に説明した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０１８８】
例えば、本実施例では、制御装置４は、他の制御装置４に制御情報及びエネルギー変化予測情報を送信する際に、特定の制御装置４にのみこれらの情報を送信するようにしているが、空気調和システム１０の全ての制御装置４に一斉送信（ブロードキャスト送信）するようにしてもよい。
【０１８９】
また、本実施例で説明した、制御装置４やリモコン３に表示される画面は、室外機１が表示するようにしてもよい。
【０１９０】
また、本実施例で説明した構成、機能、処理部、及び処理手段等の一部又は全部は、例えば集積回路で設計する等によりハードウェアで実現してもよい。また、上記の構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、又はＳＳＤ等の記憶装置、ＩＣカード、ＳＤカード、及びＤＶＤ等の記録媒体に記憶することができる。
【０１９１】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１９２】
１  室外機、２  室内機、３  リモコン、４  制御装置、１０  空気調和システム、２０８  運転情報、３０５３  エネルギー変化予測情報出力部、４０１２  スケジュール管理部、４０１６１  エネルギー変化予測情報送信部、４０１７  エネルギー変化予測情報生成部、４０１８  時間監視部、４０１９  出力範囲管理情報生成部、４０２１  エネルギー変化予測情報出力部
【図１】
0006614866.tif 000002
【図２】
0006614866.tif 000003
【図３】
0006614866.tif 000004
【図４】
0006614866.tif 000005
【図５】
0006614866.tif 000006
【図６】
0006614866.tif 000007
【図７】
0006614866.tif 000008
【図８】
0006614866.tif 000009
【図９】
0006614866.tif 000010
【図１０】
0006614866.tif 000011
【図１１】
0006614866.tif 000012
【図１２】
0006614866.tif 000013
【図１３】
0006614866.tif 000014
【図１４】
0006614866.tif 000015
【図１５】
0006614866.tif 000016
【図１６】
0006614866.tif 000017
【図１７】
0006614866.tif 000018
【図１８】
0006614866.tif 000019